(57)【特許請求の範囲】
【請求項１】
下端を開口した筒状をなすとともに、頂壁７前部に装着する容器体内と連通させる透孔８を穿設し、且つ後部に上面及び後面開放の凹部９を凹設してなるキャップ本体２と、上記凹部９両側壁の内面前部上部に後端部両側を回動可能に枢着させるとともに、上記透孔８を閉塞して開閉可能に設けた蓋板３と、上記凹部９側壁後端部内面に両側上下方向中央部を回動可能に枢着させて前後揺動可能に設けた押圧板４と、該押圧板４前面上下方向中央部より斜め上方へ突設するとともに、先端部を蓋板３後端縁部に薄肉ヒンジ21を介して屈曲可能に連結した弾性連結板５とを備え、上記薄肉ヒンジ21を上記蓋板３の枢着軸13と上記押圧板４の枢着軸17との軸心間を結ぶ平面上方に位置させて安定した閉蓋状態を維持するとともに、上記押圧板４上部の押し込みにより、上記弾性連結板５が弾性変形しつつ、上記薄肉ヒンジ21が上記軸心間を結ぶ平面の対向位置に回動して安定した開蓋状態に蓋板３が反転起立する如く構成したことを特徴とするキャップ。
【発明の詳細な説明】
【０００１】
【発明の属する技術分野】
本発明は蓋体開閉機構を有するキャップに関する。
【０００２】
【従来の技術】
蓋体開閉機構を有するキャップとして、実開昭６２−１１７５１号に記載されたものがある。ここに示されるキャップは、容器体口部嵌合用周壁を垂設させた頂壁の前部に振出孔を、該頂壁後部に上面及び後部開放の凹部を、それぞれ穿設させたキャップ本体と、上記頂壁の上面に載置された蓋板を有するとともに、該蓋板後部裏面に上記凹部内に収納固設された蓋板作動部を付設させた蓋板部材とからなり、上記キャップ本体の凹部前方の左右部分に挟持部を形成させ、上記蓋板部材の蓋板作動部は、上記挟持部に嵌着させた一対の垂直板部を、蓋板から薄肉の第１及び第２ヒンジ部を介してそれぞれ垂設させるとともにこれ等垂直板部の下端部間を水平板部で連結させ、さらに上記垂直板部間に位置した蓋板部分から斜め後方へ揺動板部を突設させ、該揺動板部下端から延出された弾性反転板部の下端を水平板部上面に連結させるとともに、上記揺動板部と弾性反転板部との連結部分及び弾性反転板部と水平板部との連結部分に薄肉の第３および第４ヒンジ部をそれぞれ付設させて形成させ、蓋板後部を押下げることで、上記弾性反転板部が前方へ弾性反転可能に設けたものである。
【０００３】
また、実開昭６２−２００５６５号に記載されたキャップの様に、頂壁の中央部には注出孔を、前部寄り上面にはコ字型切り込みで囲まれた上向きの脚を設け、また、取付け用周壁外囲に外部周壁を設け、前記切り込み両脇から、この切り込みとの間を肉薄に可撓ヒンジとして外部周壁の前部壁下端に抜ける切り込みにより押込み板を形成し、この押込み板上部前面に止め金の一方の係合突起を設けたキャップ本体と、裏面から上記注出孔に挿栓する突子状の栓を垂設し、後端部をヒンジで枢着して上記キャップ本体上面部に配設され、前部側に上記係合突起に係合する止め金の他方の係合突起を設けた開閉蓋と、上記ヒンジ部に装架された開閉蓋を常時開方向に付勢する駆動ばねとから構成したものがある。
【０００４】
上記した前者のものは、蓋板後部を下方へ押し込むことにより弾性反転部が前方へ反転して蓋板を開蓋状態に維持し、また、その状態から蓋板前部を下方へ押し込むことにより弾性反転板部が後方へ反転して元の閉蓋状態を維持可能に構成したものであり、また、後者のものは、押し込み板を押し込むことにより押し込み板の係合突起と開閉蓋の係合突起との係合が外れ、駆動ばねの付勢力により開閉蓋が開いて開蓋状態を維持し、その状態から開閉蓋を押圧回動させて上記各係合突起を係合させることにより元の閉蓋状態を維持可能に構成したものである。
【０００５】
【発明が解決しようとする課題】
これ等は、開蓋状態を維持出来て内容物の注出に蓋が邪魔とならず、また蓋板や押し込み板を押すだけで簡単に開蓋し、閉蓋の操作も容易で取り扱いが便利な優れたものである。
【０００６】
しかしながら、これ等はいまだ改良の余地がある。
即ち、前者の場合は、開蓋途中から弾性反転板部の作用が及ぶため蓋を回動させる角度が小さく済むが、その押圧部分が蓋上面となるため、容器を持ったままでの開閉は行いずらい。一方、後者は片手で容器をもった状態で押し込み板を押し込むことにより開蓋操作を容易に行えるものの、閉蓋の際には蓋上面を押圧しなければならなため、片手で容器を持った状態での操作が行い難く、また、トーションバネの様な小さな部材を使用しているため、組付け操作が煩雑となるという欠点がある。
【０００７】
本発明は、従来のものよりも更に容易な蓋の開閉を行え、しかも比較的簡単な構造で組付け操作も容易に行える優れたキャップを提案するものである。
【０００８】
【課題を解決するための手段】
第１の手段として、下端を開口した筒状をなすとともに、頂壁７前部に装着する容器体内と連通させる透孔８を穿設し、且つ後部に上面及び後面開放の凹部９を凹設してなるキャップ本体２と、上記凹部９両側壁の内面前部上部に後端部両側を回動可能に枢着させるとともに、上記透孔８を閉塞して開閉可能に設けた蓋板３と、上記凹部９側壁後端部内面に両側上下方向中央部を回動可能に枢着させて前後揺動可能に設けた押圧板４と、該押圧板４前面上下方向中央部より斜め上方へ突設するとともに、先端部を蓋板３後端縁部に薄肉ヒンジ21を介して屈曲可能に連結した弾性連結板５とを備え、上記薄肉ヒンジ21を上記蓋板３の枢着軸13と上記押圧板４の枢着軸17との軸心間を結ぶ平面上方に位置させて安定した閉蓋状態を維持するとともに、上記押圧板４上部の押し込みにより、上記弾性連結板５が弾性変形しつつ、上記薄肉ヒンジ21が上記軸心間を結ぶ平面の対向位置に回動して安定した開蓋状態に蓋板３が反転起立する如く構成した。
【０００９】
【発明の実施の形態】
以下、本発明の実施例の形態を図面を参照して説明する。
本発明のキャップ１は、キャップ本体２と、蓋板３と、押圧板４と、弾性連結板５とを備えている。
キャップ本体２は、周壁６上端縁より頂壁７を延設した下端面開口の筒状をなし、頂壁７前部に装着する容器体の口部と連通する透孔８を穿設し、後部に上面及び後面開放の凹部９を凹設している。
【００１０】
本実施例では、上記凹部９を、平行する側壁9aの前部を前向きの段部10を介して若干幅広に形成し、前壁9b下部を湾曲させて水平な底壁9cに連結させて構成し、また、凹部９両側から前方へ至る左右部分の頂壁を、凹部９の底壁9cレベルまで凹ませて頂板嵌合用の一対の嵌合凹部11を凹設している。また、上記透孔８は凹部９前方の頂壁７に複数穿設している。
【００１１】
また、上記蓋板３と、押圧板４と、弾性連結板５とを一体に形成している。
蓋板３は、上記凹部９の両側壁9aの内面前部上部に後端部両側を枢着させるとともに、上記透孔８を閉塞して開閉可能に設けている。本実施例では、上記凹部９の幅広部分とその前方の頂壁７を被覆するとともに、後端部下面両側より垂設した垂板12両側よりそれぞれ枢着軸13を突設し、各枢着軸13を凹部９の上記幅広部分後部上方に穿設した軸受け14に回動可能に嵌合させて開閉可能に設けている。また、裏面からは上記各透孔８に対応して嵌合する棒栓15を垂設している。上記各軸受け14は、その上方に案内溝16を連設して、該案内溝16を介してキャップ本体上方より枢着軸13を嵌合出来る様に構成している。
【００１２】
押圧板４は、上記凹部９側壁後端部内面に両側上下方向中央部を回動可能に枢着させて前後揺動可能に設けている。本実施例では、下端を開口した箱型をなし、その両側前端部上下方向中央部より突設した一対の枢着軸17を、上記凹部９の両側後部上下方向中央部に凹設した軸受け18にそれぞれ回動可能に嵌合させている。これら各軸受け18にも上記軸受け14同様の案内溝19をそれぞれ穿設し上方からの嵌合装着が可能に構成している。また、上面後端部より上方へ係止突起20を突設している。
【００１３】
弾性連結板５は、上記押圧板４前面中央部より斜め上方へ突設するとともに、先端部を蓋板３後端縁部に薄肉ヒンジ21を介して屈曲可能に連結している。本実施例では弾性変形が行い易い様に弾性連結板５を若干下方に湾曲させており、また、蓋板後部中央より垂設した板状突起22下端縁に薄肉ヒンジ21を介して弾性連結板５先端部を連結している。
【００１４】
また、薄肉ヒンジ21により蓋板３と連結杆５とを連結する位置を、上記各枢着軸13及び17の軸心間を結ぶ平面より上方にずらして設けており、そうすることにより、上記押圧板４上部の押し込みにより弾性連結板５が弾性変形しつつ回動して蓋板３が反転起立する如く構成している。
ここでいう蓋板３の反転起立とは、閉蓋状態で安定状態にある蓋板３が、その回動前期には連結された弾性部により閉蓋方向へ付勢され、回動後期には開蓋方向へ付勢され、所定の開蓋角度で安定状態を維持する弾性反転機構に於いて、開蓋起立した状態を言う。
【００１５】
キャップ本体２の上面には頂板23を嵌着固定させる如く構成している。この頂板23は前部中央に切欠き24を穿設した円板状をなし、上記左右の嵌合凹部11上面及び上記凹部９の幅狭部分上面を閉塞する如く構成しており、両側下面より上記嵌合凹部11の円弧状側壁であるキャップ本体周壁６内面上端部に嵌合する嵌合突条25を垂設している。
【００１６】
上記の如く構成したキャップ１は、図２の状態から押圧板４上部を前方へ押し込むと、連結板５は上記各枢着軸17の軸心を中心に回動し、それに伴って蓋板３が上記各枢着軸13の軸心を中心に回動する。この際、連結板５は弾性変形した状態で回動し、この弾性板５の作用で薄肉ヒンジ21が図３の点Ａより点Ａと点Ｂの略中間点に至る間は閉蓋方向に蓋板３を付勢し、略中間点より点Ｂに至る間では開蓋方向に蓋板３を付勢する。そして、点Ｂに薄肉ヒンジ21が移行した時点で弾性板５は元の状態に弾性復元し、蓋板３が安定状態で維持される。尚、この際には押圧板４は当然前傾状態で維持される。
【００１７】
また、蓋板３の開蓋状態から押圧板４の下部を押し込むことにより、上記と同様の作用で蓋板３が反転して閉蓋状態となり、ここで再び安定状態となる。
尚、上記実施例では弾性連結板を押圧板前面上下方向中央部の中心部に一枚延設しているが、図６に示す如く、押圧板４前面上下方向中央部の左右に一対の弾性連結板５，５を延設しても良い。この場合は、例えば、図示しないが、蓋板後端両側より垂設した一対の板状突起下面に薄肉ヒンジを介して各連結板５，５の先端部を一体に連結し、他の構成は上記実施例と同様構成とする。また、上記各部材は全て合成樹脂により形成すると良い。
【発明の効果】
以上説明した如く本発明キャップは、キャップ本体に設けた凹部両側壁の内面前部上部に後端部両側を回動可能に枢着させるとともに、凹部前方のキャップ本体頂壁の前部に穿設した透孔を閉塞して開閉可能に設けた蓋板と、凹部側壁後端部内面に両側上下方向中央部を回動可能に枢着させた押圧板と、該押圧板前面上下方向中央部より斜め上方へ突設するとともに、先端部を蓋板後端縁部に薄肉ヒンジを介して屈曲可能に連結した弾性連結板とを備え、上記押圧板上部の押し込みにより弾性板が弾性変形しつつ回動して蓋板が反転起立する如く構成したので、容器を片手で持った状態で容易に開蓋させることが出来るとともに、その状態で開蓋状態を維持させるとが出来、また、蓋体を閉じる際も容器を片手で持った状態で容易に行えて極めて使勝手が良い。しかも、組付けにあったてはトーションバネ等の細かい部品を必要とせずに行える便利を伴う。
【図面の簡単な説明】
【図１】  本発明の一実施例を示す分解斜視図である。
【図２】  同実施例の縦断面図である。
【図３】  同実施例の作用を説明する拡大説明図である。
【図４】  同実施例の平面図である。
【図５】  同実施例の背面図である。
【図６】  本発明の他の実施例を示す押圧板部分の要部斜視図である。
【符号の説明】
２…キャップ本体，３…蓋板，４…押圧板，５…弾性連結板，７…頂壁，
８…透孔，９…凹部，21…薄肉ヒンジ
【図１】
0003652441.tif 000002
【図２】
0003652441.tif 000003
【図３】
0003652441.tif 000004
【図４】
0003652441.tif 000005
【図５】
0003652441.tif 000006
【図６】
0003652441.tif 000007